【手続補正書】
【提出日】平成29年9月5日(2017.9.5)
【手続補正１】
【補正対象書類名】特許請求の範囲
【補正対象項目名】全文
【補正方法】変更
【補正の内容】
【特許請求の範囲】
【請求項１】
コロナ点火システムであって、
無線周波数における電流を受取り、無線周波数電界をもたらすコロナ点火器と、
前記コロナ点火器によって受取られた電流に関する情報を含むフィルタリングされていない電流信号を取得する電流センサと、
前記電流センサから前記フィルタリングされていない電流信号を受信し、調整された電流信号を供給する信号フィルタおよび信号調整装置の少なくとも一方とを備え、前記調整された電流信号は、前記フィルタリングされていない電流信号の第１のゼロ交差に後続する第１の時間遅延の終わりにおいて生じる立下りエッジを含み、さらに、
前記調整された電流信号を受信し、前記調整された電流信号の前記立下りエッジに応答して第２の時間遅延を開始し、第１のタイマー信号を供給する第１のタイマーを備え、前記第１のタイマー信号は、前記第２の時間遅延の終わりにおいて立下りエッジを含み、前記第２の時間遅延は、前記第１のゼロ交差に後続する前記フィルタリングされていない電流信号の第２のゼロ交差の前に終わり、さらに、
前記第１のタイマーから前記第１のタイマー信号を受信し、第１の出力信号を供給する第２のタイマーを備え、前記第１のタイマー信号の前記立下りエッジにおける前記第２の時間遅延の終わりにおいて第３の時間遅延が始まり、前記第１の出力信号は、前記第３の時間遅延の初めにおいて立上りエッジを含み、さらに、
前記第１の出力信号を受信し、前記第３の時間遅延の終わりにおいて起動される第１のスイッチを備え、前記第３の時間遅延は、前記フィルタリングされていない電流信号の前記第２のゼロ交差においてまたは前記第２のゼロ交差後に終わり、起動された前記第１のスイッチは、エネルギ源から前記コロナ点火器に電流が流れることを可能にする、コロナ点火システム。
【請求項２】
前記第２のタイマーは、前記第１の出力信号の前記立上りエッジにおいて始まり、前記第１の出力信号の前記立下りエッジにおいて終わる第４の時間遅延を開始し、前記第４の時間遅延の終わりは、前記フィルタリングされていない電流信号の第３のゼロ交差の前に生じ、前記第１のスイッチは、前記第１の出力信号の前記立下りエッジにおいて始まり、前記第３のゼロ交差の前にまたは前記第３のゼロ交差において終わる第５の時間遅延の終わりにおいて停止される、請求項１に記載のシステム。
【請求項３】
前記コロナ点火器によって受取られた電流のゼロ交差のうちの１つにおいてまたは隣接して前記第１のスイッチが起動されるかまたは停止されるように、第２の時間遅延および第４の時間遅延を設定するコントローラを含む、請求項２に記載のシステム。
【請求項４】
前記コントローラは電圧を受取り、前記コロナ点火器によって受取られた電圧のゼロ交差が前記フィルタリングされていない電流信号の前記ゼロ交差と同時ではない場合、前記コントローラは、前記第２の時間遅延および前記第４の時間遅延のうち少なくとも一方を調節する、請求項３に記載のシステム。
【請求項５】
前記コントローラは、前記タイマーのうちの１つへのイネーブル信号を開始して、前記第１のスイッチを起動し、かつ前記電流センサが電流に関する情報を取得する前に前記エネルギ源から前記コロナ点火器に電流が流れることを可能にする、請求項３に記載のシステム。
【請求項６】
前記タイマーは、前記コントローラから電気的に独立している、請求項３に記載のシステム。
【請求項７】
前記調整された電流信号は、前記第１のスイッチに伝達される前に前記コントローラに伝達されることなく、前記電流センサから前記第１のスイッチに伝達される、請求項１に記載のシステム。
【請求項８】
前記調整された電流信号は、前記フィルタリングされていない電流信号の第４のゼロ交差に後続する第６の時間遅延の終わりにおいて生じる立上りエッジを含み、前記第６の時間遅延は前記第１の時間遅延と等しく、
第３のタイマーは、前記調整された電流信号を受信し、前記調整された電流信号の立上りエッジに応答して第７の時間遅延を開始し、第２のタイマー信号を供給し、前記第７の時間遅延は前記第２の時間遅延と等しく、前記第２のタイマー信号は、前記第７の時間遅延の終わりにおいて立上りエッジを含み、前記第７の時間遅延は、前記第４のゼロ交差に後続する前記フィルタリングされていない電流信号の第５のゼロ交差の前に終わり、
第４のタイマーは、前記第３のタイマーから前記第１のタイマー信号を受信し、第２の出力信号を供給し、第８の時間遅延は、前記第１のタイマー信号の前記立上りエッジにおける前記第７の時間遅延の終わりにおいて始まり、前記第８の時間遅延は前記第３の時間遅延と等しく、前記第２の出力信号は、前記第８の時間遅延の初めにおいて立下りエッジを含み、
第２のスイッチは、前記第２の出力信号を受信し、前記第８の時間遅延の終わりにおいて起動され、前記第８の時間遅延は、前記フィルタリングされていない電流信号の前記第５のゼロ交差においてまたは前記第５のゼロ交差後に終わり、起動された前記第２のスイッチは、前記エネルギ源から前記コロナ点火器に電流が流れることを可能にする、請求項１に記載のシステム。
【請求項９】
前記第４のタイマーは、前記第２の出力信号の前記立下りエッジにおいて始まり、前記第２の出力信号の前記立上りエッジにおいて終わる第９の時間遅延を開始し、前記第９の時間遅延は前記第４の時間遅延と等しく、前記第９の時間遅延の終わりは、前記フィルタリングされていない電流信号の第６のゼロ交差の前に生じ、前記第２のスイッチは、前記第２の出力信号の前記立上りエッジにおいて始まり、前記第６のゼロ交差前にまたは前記第６のゼロ交差において終わる第１０の時間遅延の終わりにおいて停止され、前記第１０の時間遅延は前記第５の時間遅延と等しい、請求項８に記載のシステム。
【請求項１０】
前記フィルタリングされていない電流信号の前記ゼロ交差のうちの１つにおいてまたは隣接して前記スイッチが起動されるかまたは停止されるように前記第７の時間遅延および前記第９の時間遅延を設定するコントローラを含む、請求項９に記載のシステム。
【請求項１１】
前記コロナ点火器は電圧を受取り、前記コロナ点火器によって受取られた電圧のゼロ交差が前記フィルタリングされていない電流信号のゼロ交差と同時ではない場合、前記コントローラは、前記第２の時間遅延および前記第４の時間遅延の少なくとも一方を調節する、請求項１０に記載のシステム。
【請求項１２】
前記第１、第３、第５、第６、第８、および第１０の時間遅延は、固定され、前記電流センサ、前記信号フィルタおよび／または前記信号調整装置、前記タイマー、ならびに前記スイッチの設計に少なくとも部分的に基づく、請求項１０に記載のシステム。
【請求項１３】
コロナ放電システムを制御する方法であって、
コロナ点火器に無線周波数でエネルギを供給するステップと、
前記コロナ点火器によって受取られた電流に関する情報を含むフィルタリングされていない電流信号を取得するステップと、
前記フィルタリングされていない電流信号の第１のゼロ交差に後続する第１の時間遅延の終わりにおいて生じる立下りエッジを含む調整された電流信号を供給するステップと、
前記調整された電流信号の前記立下りエッジに応答して第２の時間遅延を開始し、前記第１のタイマー信号を供給するステップとを備え、前記第１のタイマー信号は、前記第２の時間遅延の終わりにおいて立下りエッジを含み、前記第２の時間遅延は、前記第１のゼロ交差に後続する前記フィルタリングされていない電流信号の第２のゼロ交差の前に終わり、さらに、
第３の時間遅延の初めにおいて立上りエッジを含む出力信号を供給するステップを備え、前記第３の時間遅延は、前記第１のタイマー信号の前記立下りエッジにおける前記第２の時間遅延の終わりにおいて始まり、さらに、
前記第３の時間遅延の終わりにおいて前記第１の出力信号によって第１のスイッチを起動するステップを備え、前記第３の時間遅延は、前記フィルタリングされていない電流信号の前記第２のゼロ交差においてまたは前記第２のゼロ交差後に終わり、起動された前記第１のスイッチは、エネルギ源から前記コロナ点火器に電流が流れることを可能にする、方法。
【請求項１４】
前記第１の出力信号の前記立上りエッジにおいて始まり、前記第１の出力信号の立下りエッジにおいて終わる第４の時間遅延を開始することを含み、前記第４の時間遅延の終わりは、前記フィルタリングされていない電流信号の第３のゼロ交差の前に生じ、さらに、前記第１の出力信号の前記立下りエッジにおいて始まり、前記第３のゼロ交差前にまたは前記第３のゼロ交差において終わる第５の時間遅延の終わりにおいて前記第１のスイッチを停止することを含む、請求項１３に記載の方法。
【請求項１５】
前記コロナ点火器によって受取られた電流のゼロ交差のうちの１つにおいてまたは隣接して前記第１のスイッチが起動されるかまたは停止されるように、第２の時間遅延および第４の時間遅延を設定することを含む、請求項１３に記載の方法。
【請求項１６】
前記コロナ点火器によって受取られた電圧のゼロ交差が前記フィルタリングされていない電流信号の前記ゼロ交差と同時ではない場合、前記第２の時間遅延および前記第４の時間遅延のうち少なくとも一方を調節することを含む、請求項１３に記載の方法。
【請求項１７】
前記タイマーのうちの１つへのイネーブル信号を開始して、前記第１のスイッチを起動し、かつ前記電流センサが電流に関する情報を取得する前に前記エネルギ源から前記コロナ点火器に電流が流れることを可能にすることを含む、請求項１３に記載の方法。
【請求項１８】
前記調整された電流信号は、前記第１のスイッチに伝達される前に前記コントローラに伝達されることなく、前記電流センサから前記第１のスイッチに伝達される、請求項１３に記載の方法。
【請求項１９】
前記調整された電流信号は、前記フィルタリングされていない電流信号の第４のゼロ交差に後続する第６の時間遅延の終わりにおいて生じる立上りエッジを含み、前記第６の時間遅延は前記第１の時間遅延と等しく、
前記調整された電流信号の立上りエッジに応答して第７の時間遅延を開始し、第２のタイマー信号を供給し、前記第７の時間遅延は前記第２の時間遅延と等しく、前記第２のタイマー信号は、前記第７の時間遅延の終わりにおいて立上りエッジを含み、前記第７の時間遅延は、前記第４のゼロ交差に後続する前記フィルタリングされていない電流信号の第５のゼロ交差の前に終わり、
第８の時間遅延の初めにおいて立下りエッジを含む第２の出力信号を供給し、前記第８の時間遅延は、前記第１のタイマー信号の前記立上りエッジにおける前記第７の時間遅延の終わりにおいて始まり、前記第８の時間遅延は前記第３の時間遅延と等しく、
前記第８の時間遅延の終わりにおいて前記第２の出力信号によって第２のスイッチを起動し、前記第８の時間遅延は、前記フィルタリングされていない電流信号の前記第５のゼロ交差においてまたは前記第５のゼロ交差後に終わり、起動された前記第２のスイッチは、前記エネルギ源から前記コロナ点火器に電流が流れることを可能にし、
前記第２の出力信号の前記立下りエッジにおいて始まり、前記第２の出力信号の前記立上りエッジにおいて終わる第９の時間遅延を開始し、前記第９の時間遅延は前記第４の時間遅延と等しく、前記第９の時間遅延の終わりは、前記フィルタリングされていない電流信号の第６のゼロ交差の前に生じ、
前記第２の出力信号の前記立上りエッジにおいて始まり、前記第６のゼロ交差前にまたは前記第６のゼロ交差において終わる第１０の時間遅延の終わりにおいて前記第２のスイッチを停止し、前記第１０の時間遅延は前記第５の時間遅延と等しい、請求項１３に記載の方法。
【請求項２０】
前記コロナ点火器によって受取られた電圧のゼロ交差が前記フィルタリングされていない電流信号の前記ゼロ交差と同時ではない場合、前記第８および第１０の時間遅延のうち少なくとも一方を調節することを含む、請求項１９に記載の方法。